(57)【特許請求の範囲】
【請求項１】
ローラーシャフトと、
このローラーシャフトの周囲に取り付けた弾性材と、を有するとともに、この弾性材に帯状部材を接触させて移送するための弾性体ローラーであって、
前記弾性材は、
前記ローラーシャフトの外周に設けた内層側弾性材と、
この内層側弾性材の外周に設けて前記帯状部材に接触する被覆層と、を有するとともに、
前記内層側弾性材は、ＪＩＳ  Ｋ６２５３規格に規定するデュロメータータイプＡによるゴム硬度を３０〜８０度とし、
前記被覆層は、ＳＲＩＳ  ０１０１規格に規定するスプリング式アスカーＣ型による硬度が２０度以下のシリコーン樹脂からこれを構成しており、
前記被覆層は、その厚さを１０〜１００μｍとし、
前記内層側弾性材には、その円周方向に沿って複数本の内層溝を形成するとともに、
この内層溝は、その幅を２５〜１３００μｍとし、その深さを２５〜５００μｍとし、さらに、断面Ｖ字形状であってその溝角度を５０〜１２０度とし、
当該弾性体ローラーの、前記ローラーシャフトの軸方向に直交する面内の弾性体ローラー直径を、前記ローラーシャフトの軸方向に沿うその中央部からその両端部に向けて漸減させていることを特徴とする弾性体ローラー。
【請求項２】
前記内層側弾性材は、前記ローラーシャフトの前記軸方向に直交する前記面内の内層側弾性材直径を、前記ローラーシャフトの前記軸方向に沿う前記中央部から前記両端部に向けて漸減させていることを特徴とする請求項１記載の弾性体ローラー。
【請求項３】
前記被覆層は、前記ローラーシャフトの前記軸方向に直交する前記面内の被覆層厚さを、前記ローラーシャフトの前記軸方向に沿う前記中央部から前記両端部に向けて漸減させていることを特徴とする請求項１または２記載の弾性体ローラー。
【請求項４】
当該弾性体ローラーの前記弾性体ローラー直径は、前記ローラーシャフトの前記軸方向に沿う前記中央部から前記両端部に向けて連続的に漸減していることを特徴とする請求項１ないし３のいずれかに記載の弾性体ローラー。
【請求項５】
当該弾性体ローラーの前記弾性体ローラー直径は、前記ローラーシャフトの前記軸方向に沿う前記中央部から前記両端部に向けて段階的に漸減していることを特徴とする請求項１ないし３のいずれかに記載の弾性体ローラー。
【請求項６】
当該弾性体ローラーの、前記ローラーシャフトの前記軸方向に直交する前記面内の前記弾性体ローラー直径について、前記ローラーシャフトの前記軸方向に沿う前記中央部における弾性体ローラー中央部直径と、前記両端部における弾性体ローラー両端部直径との差を、１０〜２５０μｍとしていることを特徴とする請求項１ないし５のいずれかに記載の弾性体ローラー。
【請求項７】
前記シリコーン樹脂は、熱硬化性であることを特徴とする請求項１ないし６のいずれかに記載の弾性体ローラー。
【請求項８】
前記内層側弾性材は、これを熱可塑性弾性材料あるいは熱硬化性弾性材料から構成することを特徴とする請求項１ないし７のいずれかに記載の弾性体ローラー。
【請求項９】
前記被覆層には、その円周方向に沿って複数本の被覆層溝を形成していることを特徴とする請求項１ないし８のいずれかに記載の弾性体ローラー。
【請求項１０】
前記内層側弾性材は、前記内層溝それぞれの間を平坦な内層台状頂部として形成していることを特徴とする請求項１ないし９のいずれかに記載の弾性体ローラー。
【請求項１１】
前記被覆層は、前記被覆層溝それぞれの間を平坦な被覆層台状頂部として形成していることを特徴とする請求項９記載の弾性体ローラー。
【請求項１２】
前記内層溝は、そのピッチを５００〜１５００μｍとしていることを特徴とする請求項１ないし１１のいずれかに記載の弾性体ローラー。
【発明の詳細な説明】
【技術分野】
【０００１】
本発明は弾性体ローラーにかかるもので、とくに台紙なしラベルあるいは台紙付きの一般的なラベルその他の帯状部材を移送するプラテンローラーやニップローラーその他のローラーであって、とくに台紙なしラベルなどを移送する際にその粘着剤層ないし粘着剤が貼り付きにくく、台紙なしラベルが巻き込まれることを防止可能な弾性体ローラーに関するものである。
【背景技術】
【０００２】
従来から、ラベルの粘着剤層の裏面側に仮着する剥離紙（いわゆる台紙）を用いない台紙なしラベルが開発され、使用後には破棄されることになる台紙がないことから省資源材料として期待されている。
図７は、従来からの台紙なしラベル１をロール状に巻いた状態の斜視図であって、台紙なしラベル１は、図７中で、その一部を拡大断面で示すように、ラベル基材２と、裏面側の粘着剤層３と、表面側の感熱発色剤層４およびその上層側の透明な剥離剤層５と、を有する。
なお、ラベル基材２の裏面側に位置検出用マーク６をあらかじめ印刷してある。
また、ラベル基材２の表面側に必要に応じて、ラベル使用者のマークや名称その他のデザインなどの固定情報（図示せず）をあらかじめ印刷しておくこともできる。
この台紙なしラベル１は、切断予定線７において所定ピッチで切断することにより単葉のラベル片１Ａとすることができる。
【０００３】
図８は、この台紙なしラベル１を装填し、商品についての価格やバーコードその他の商品情報や、物品あるいはサービスに関する管理情報などの可変情報を必要に応じて印字するためのサーマルプリンター８の概略側面図であって、サーマルプリンター８は、台紙なしラベル１の供給部９と、案内部１０と、検出部１１と、印字部１２と、切断部１３と、を有する。
【０００４】
供給部９は、ロール状の台紙なしラベル１を保持し、案内部１０、検出部１１、印字部１２および切断部１３方向に台紙なしラベル１を帯状に繰り出し可能とする。
【０００５】
案内部１０は、ガイドローラー１４を有し、繰り出された台紙なしラベル１を検出部１１および印字部１２方向に案内可能とする。
【０００６】
検出部１１は、位置検出センサー１５を有し、台紙なしラベル１の裏面側の位置検出用マーク６を検出して、印字部１２に対する台紙なしラベル１（ラベル片１Ａ）の相対的位置を検出可能とする。
【０００７】
印字部１２は、サーマルヘッド１６およびプラテンローラー１７（弾性体ローラー）を有し、この間に所定印字圧力で台紙なしラベル１を挟持し、一定速度でプラテンローラー１７を回転駆動するとともに、サーマルヘッド１６への印字データの供給により感熱発色剤層４を発色させ、台紙なしラベル１（ラベル片１Ａ）に所定の可変情報を印字可能である。
【０００８】
切断部１３は、固定刃１８および可動刃１９を有し、この間に移送されてきた印字済みの台紙なしラベル１を所定ピッチによる切断予定線７の部分で切断して、ラベル片１Ａを発行排出する。
【０００９】
このような構成のサーマルプリンター８において、台紙なしラベル１を移送印字するためのプラテンローラー１７には、ゴム材などの弾性体によるローラーが使用されているが、粘着剤層３の粘着剤が付着しにくくするために、粘着剤が付着しにくいシリコーンゴム材によりプラテンローラー１７を構成したり、あるいはシリコーンオイルなどをプラテンローラー１７の外周表面に塗布することが行われている。
しかしながら、長期間の使用にあたっては、粘着剤の付着を完全に防止することが困難であり、プラテンローラー１７を通過した台紙なしラベル１がそのままプラテンローラー１７に貼り付いて巻き込まれてしまうため（図８中、仮想線を参照）、ラベル詰まりを起こし、台紙なしラベル１の正常な移送、印字およびラベル片１Ａの発行に支障をきたすという問題がある。
さらに、台紙なしラベル１をサーマルヘッド１６およびプラテンローラー１７の間に挟持したままの状態で、印字発行を停止しているような場合には、台紙なしラベル１がプラテンローラー１７の表面からはがれにくくなって、上述と同様に、台紙なしラベル１の巻込みが発生しやすくなるという問題がある。
【００１０】
したがって、一般的には、プラテンローラー１７の外周表面を清掃する作業、あるいはプラテンローラー１７の交換作業などのメンテナンスを繰り返す必要が生じ、長期間にわたって安定した移送および印字を可能とするプラテンローラー１７（弾性体ローラー）が要請されている。
また、プラテンローラー１７以外にも、プリンターの構成に応じて台紙なしラベル１の移送用として回転駆動する一対のローラーからなるニップローラー（図示せず）や、ガイドローラー１４のように台紙なしラベル１を単純に案内するためのローラーとしても、非粘着性、あるいは剥離性（離型性）に優れたラベル用弾性体ローラーが要請されている。
【００１１】
また、台紙なしラベル１あるいは一般的な台紙付きラベルについても、これらのいずれを装填しても、安定して移送することができるラベル用弾性体ローラーが要請されている。
なお、台紙なしラベル１（粘着剤層３）との接触面積を減少させ、粘着剤層３による貼付き現象を回避するために、プラテンローラー１７の外表面に溝などを形成することも試みられているが、台紙付きの一般的なラベルを移送印字する場合には、ラベルにおける台紙の裏面との接触面積が不十分なため台紙との間で必要な摩擦力（グリップ力）を発揮することができず、ラベルスリップが発生するなど移送機能に支障をきたしやすく、安定した移送および印字作用を期待することができないという問題がある。
また、プラテンローラー１７に溝などを形成すると、これが摩耗しやすいという問題もある。
【００１２】
上述の台紙なしラベル１と同様に、裏面側に粘着剤層あるいは接着剤層を有する紙やフィルムベースの帯状部材を移送あるいは案内する際にも、上述のような諸問題が発生することが懸念され、非粘着性、あるいは剥離性（離型性）に優れた弾性体ローラーが要請されている。
【００１３】
上述のような諸問題を解決するために、硬度を規定したシリコーン樹脂により内層側弾性材の外層を被覆することが提案されている。
すなわち、硬度（ＳＲＩＳ  ０１０１規格に規定するスプリング式アスカーＣ型による硬度、以下「Ｃ硬度」）を低くしたシリコーン樹脂による被覆層を設けることにより、シリコーン樹脂が粘着剤層に対して有する非粘着性ないし剥離性と、低い硬度（Ｃ硬度が２０度以下）のゲル化した樹脂による帯状部材に対する必要な摩擦力（グリップ力）および耐摩耗性と、を併せ持つことが可能となり、台紙なしラベルや台紙付きの一般的なラベルその他の帯状部材を安定して移送案内することができる。
【００１４】
しかして、サーマルプリンター８は、印字発行する帯状部材の幅に応じて、２インチ用、４インチ用および６インチ用などの機種がラインアップされているが、一台のサーマルプリンター８を用いて、幅が異なる複数の帯状部材（たとえば台紙なしラベル１）を掛け替えて印字発行することがある。
サーマルプリンター８には、設計上最も幅が広い帯状部材に合わせて弾性体ローラー（プラテンローラー１７）を組み付けてあるが、たとえば幅６インチ用のサーマルプリンター８に幅１インチの幅狭な台紙なしラベル１を装填した場合、幅６インチから台紙なしラベル１の幅である１インチを差し引いた約５インチにおいて、プラテンローラー１７とサーマルヘッド１６とが直に接触することになる。プラテンローラー１７は、帯状部材の移送を目的として十分なグリップ力を有しているため、プラテンローラー１７とサーマルヘッド１６との接触幅が広くなると、摩擦による負荷が大きくなり、帯状部材の正確な移送が困難になるという問題がある。
【先行技術文献】
【特許文献】
【００１５】
【特許文献１】特開２０１１−３１４２６号公報
【発明の概要】
【発明が解決しようとする課題】
【００１６】
本発明は以上のような諸問題にかんがみなされたもので、非粘着性、あるいは剥離性（離型性）に優れたプラテンローラーその他の弾性体ローラーを提供することを課題とする。
【００１７】
また本発明は、台紙なしラベルその他の帯状部材の粘着剤層がその表面に貼り付くことがないようにした弾性体ローラーを提供することを課題とする。
【００１８】
また本発明は、台紙なしラベル以外の一般的な台紙付きラベルや帯状部材についても、これを安定して移送案内することができる弾性体ローラーを提供することを課題とする。
【００１９】
また本発明は、台紙なしラベルおよび一般的な台紙付きラベルなどの帯状部材について、剥離性および摩擦力（グリップ力）を発揮して、これらのいずれをも安定して移送案内することができる弾性体ローラーを提供することを課題とする。
【００２０】
また本発明は、台紙なしラベルおよび一般的な台紙付きラベルなどの帯状部材について、その幅が異なる帯状部材であっても、とくに幅が狭い帯状部材を装填した場合にも、安定して移送案内することができる弾性体ローラーを提供することを課題とする。
【課題を解決するための手段】
【００２１】
すなわち本発明は、プラテンローラーなどの弾性体ローラーについて、硬度を規定したシリコーン樹脂により内層側弾性材の外層を被覆すること、すなわち、硬度（ＳＲＩＳ  ０１０１規格に規定するスプリング式アスカーＣ型による硬度、以下「Ｃ硬度」）を低くしたシリコーン樹脂による被覆層を設けること、さらには、当該弾性体ローラーの直径についてその中央部を両端部側より大径とした、いわゆる「タイコ形状」にすることに着目したもので、ローラーシャフトと、このローラーシャフトの周囲に取り付けた弾性材と、を有するとともに、この弾性材に帯状部材を接触させて移送するための弾性体ローラーであって、上記弾性材は、上記ローラーシャフトの外周に設けた内層側弾性材と、この内層側弾性材の外周に設けて上記帯状部材に接触する被覆層と、を有するとともに、この被覆層は、ＳＲＩＳ  ０１０１規格に規定するスプリング式アスカーＣ型による硬度が２０度以下のシリコーン樹脂からこれを構成しており、当該弾性体ローラーの、上記ローラーシャフトの軸方向に直交する面内の弾性体ローラー直径を、上記ローラーシャフトの軸方向に沿うその中央部からその両端部に向けて漸減させていることを特徴とする弾性体ローラーである。
【００２２】
上記内層側弾性材は、上記ローラーシャフトの上記軸方向に直交する上記面内の内層側弾性材直径を、上記ローラーシャフトの上記軸方向に沿う上記中央部から上記両端部に向けて漸減させることができる。
【００２３】
上記被覆層は、上記ローラーシャフトの上記軸方向に直交する上記面内の被覆層厚さを、上記ローラーシャフトの上記軸方向に沿う上記中央部から上記両端部に向けて漸減させることができる。
【００２４】
当該弾性体ローラーの上記弾性体ローラー直径は、上記ローラーシャフトの上記軸方向に沿う上記中央部から上記両端部に向けて連続的に漸減させることができる。
【００２５】
当該弾性体ローラーの上記弾性体ローラー直径は、上記ローラーシャフトの上記軸方向に沿う上記中央部から上記両端部に向けて段階的に漸減させることができる。
【００２６】
当該弾性体ローラーの、上記ローラーシャフトの上記軸方向に直交する上記面内の上記弾性体ローラー直径について、上記ローラーシャフトの上記軸方向に沿う上記中央部における弾性体ローラー中央部直径と、上記両端部における弾性体ローラー両端部直径との差を、１０〜２５０μｍとすることが望ましい。
【００２７】
上記シリコーン樹脂は、熱硬化性であることが望ましい。
【００２８】
上記被覆層は、その厚さが１０〜１００μｍであることが好ましい。
【００２９】
上記内層側弾性材は、これを熱可塑性弾性材料あるいは熱硬化性弾性材料から構成することができる。
【００３０】
上記内層側弾性材は、ＪＩＳ  Ｋ６２５３規格に規定するデュロメータータイプＡによるゴム硬度を３０〜８０度とすることが好ましい。
【００３１】
上記内層側弾性材には、その円周方向に沿って複数本の内層溝を形成することができる。
【００３２】
上記被覆層には、その円周方向に沿って複数本の被覆層溝を形成することができる。
【００３３】
上記内層側弾性材は、上記内層溝それぞれの間を平坦な内層台状頂部として形成することができる。
【００３４】
上記被覆層は、上記被覆層溝それぞれの間を平坦な被覆層台状頂部として形成することができる。
【００３５】
上記内層溝は、そのピッチが５００〜１５００μｍであることが望ましい。
【００３６】
上記内層溝は、その幅が２５〜１３００μｍであることが望ましい。
【００３７】
上記内層溝は、その深さが２５〜５００μｍであることが望ましい。
【００３８】
上記内層溝は、断面Ｖ字形状であってその溝角度が５０〜１２０度であることが望ましい。
【発明の効果】
【００３９】
本発明による弾性体ローラーにおいては、弾性材として、ローラーシャフトの外周に設けた内層側弾性材と、この内層側弾性材の外周に設けて帯状部材に接触する被覆層と、を有するとともに、Ｃ硬度が２０度以下のシリコーン樹脂からこの被覆層を構成したので、シリコーン樹脂が粘着剤層に対して有する非粘着性ないし剥離性と、低い硬度（Ｃ硬度が２０度以下）のゲル化した樹脂による帯状部材に対する必要な摩擦力（グリップ力）および耐摩耗性と、を併せ持つことが可能となる。
さらに当該弾性体ローラーの直径を弾性材の軸方向で中央部分の方が比較的大きくなるように異ならせたので、当該弾性体ローラーより幅が狭い帯状部材を装填した場合であっても、帯状部材が存在しない軸方向の領域において、この弾性体ローラーが対向するサーマルヘッドなどと接触することを回避し、幅が異なる台紙なしラベルや台紙付きの一般的なラベルその他の帯状部材を装填しても、これを安定して移送案内することができる。
【図面の簡単な説明】
【００４０】
【図１】本発明の第１の実施例による弾性体ローラー（プラテンローラー１２０）の斜視図である。
【図２】同、プラテンローラー１２０の軸方向要部拡大断面図である。
【図３】同、プラテンローラー１２０の変形例を示すもので、図３（１）は、第１の変形例によるプラテンローラー１２０Ａ（弾性体ローラー）の要部概略断面図、図３（２）は、第２の変形例によるプラテンローラー１２０Ｂ（弾性体ローラー）の要部概略断面図である。
【図４】同、サーマルプリンター８（図８）などにおけるサーマルヘッド１６およびプラテンローラー１２０（図２）の台紙なしラベル１の移送方向から見た要部側面図である。
【図５】本発明の第２の実施例による弾性体ローラー（プラテンローラー１３０）の斜視図である。
【図６】同、プラテンローラー１３０の軸方向要部拡大断面図である。
【図７】従来からの台紙なしラベル１をロール状に巻いた状態の斜視図である。
【図８】同、台紙なしラベル１を装填し、商品についての価格やバーコードその他の商品情報や、物品あるいはサービスに関する管理情報などの可変情報を必要に応じて印字するためのサーマルプリンター８の概略側面図である。
【発明を実施するための形態】
【００４１】
本発明は、内層側弾性材の外周に設けて帯状部材に接触する被覆層をＣ硬度が２０度以下のシリコーン樹脂から構成し、粘着剤層に対する非粘着性ないし剥離性と、帯状部材に対する必要な摩擦力（グリップ力）および耐摩耗性と、を併せ持つとともに、弾性体ローラーの直径を中央部から両端部に向かって漸減するように構成したので、幅が狭い帯状部材などであっても、台紙なしラベルや台紙付きの一般的なラベルその他の帯状部材を安定して移送案内することができる弾性体ローラーを実現した。
【実施例】
【００４２】
つぎに本発明の第１の実施例による弾性体ローラーを、前記プラテンローラー１７（図８）と同様に、サーマルプリンター８におけるプラテンローラー１２０（ラベル用弾性体ローラー）として構成した場合を例に取って図１ないし図４にもとづき説明する。ただし、図７および図８と同様の部分には同一符号を付し、その詳述はこれを省略する。
図１は、プラテンローラー１２０の斜視図、図２は、プラテンローラー１２０の軸方向要部拡大断面図であって、プラテンローラー１２０は、ローラーシャフト１２１と、このローラーシャフト１２１の周囲に取り付けるとともに一体的に回転可能な弾性材１２２と、を有するとともに、この弾性材１２２にラベル（たとえば前述の台紙なしラベル１、図７）を接触させて移送するものである。
【００４３】
弾性材１２２は、ローラーシャフト１２１の外周に設けた円柱状の内層側弾性材１２３と、この内層側弾性材１２３の外周に一体的に設けて台紙なしラベル１に接触する被覆層１２４（外層側弾性材）と、を有する。
【００４４】
内層側弾性材１２３は、これを熱可塑性弾性部材や熱硬化性弾性材料から構成することができる。
内層側弾性材１２３を構成する合成樹脂としては、たとえば、ポリエチレン、ポリプロピレン、ポリメチルペンテン、ポリブデン、結晶性ポリブタジエン、ポリブタジエン、スチレンブタジエン樹脂、ポリ塩化ビニル、ポリ酢酸ビニル、ポリ塩化ビリニデン、エチレン酢酸ビニル共重合体、エチレン−プロピレン共重合体、エチレン−プロピレン−ジエン共重合体、アイオノマー、ポリメチルメタクリレート、ポリテトラフルオロエチレン、エチレンポリテトラフルオロエチレン共重合体、ポリアセタール（ポリオキシメチレン）、ポリアミド、ポリカーボネート、ポリフェニレンエーテル、ポリエチレンテレフタレート、ポリブチレンテレフタレート、ポリアリレート、ポリスチレン、ポリエーテルスルホン、ポリイミド、ポリアミドイミド、ポリフェニレンスルフィド、ポリオキシベンゾイル、ポリエーテルエーテルケトン、ポリエーテルイミド、ポリスチレン、ポリウレタン、ポリエステル、１，２−ポリブタジエン、フェノール樹脂、ユリア樹脂、メラミン樹脂、ベンゾグアナミン樹脂、ジアリルフタレート樹脂、アルキド樹脂、エポキシ樹脂、ケイ素樹脂を使用することができる。
また、たとえば、熱硬化性のシリコーンゴム、一液型ＲＴＶ（Ｒｏｏｍ  Ｔｅｍｐｅｒａｔｕｒｅ  Ｖｕｌｃａｎｉｚｉｎｇ）ゴム、二液型ＲＴＶゴム、ＬＴＶ（Ｌｏｗ  Ｔｅｍｐｅｒａｔｕｒｅ  Ｖｕｌｃａｎｉｚａｂｌｅ）シリコーンゴム、耐油性熱硬化性ゴムなどの熱硬化性弾性材料を用いることができる。
【００４５】
内層側弾性材１２３は、その硬度（ＪＩＳ  Ｋ６２５３規格に規定するデュロメータータイプＡによるゴム硬度、以下「Ａ硬度」）を３０〜８０度としている。
Ａ硬度が３０度未満では、台紙なしラベル１などの帯状部材を移送案内するプラテンローラー１２０としては柔らかすぎ、すなわち、接触摩擦力が過剰となって、プラテンローラー１２０としての移送機能に支障が生ずる。また、サーマルプリンター８（図８）における印字品質が低下する。
Ａ硬度が８０をこえると、プラテンローラー１２０として硬くなりすぎ、移送力および移送精度が低下する。
【００４６】
被覆層１２４は、Ｃ硬度（ＳＲＩＳ  ０１０１規格に規定するスプリング式アスカーＣ型による硬度）が２０度以下の熱硬化性シリコーン樹脂その他のシリコーン樹脂からこれを構成している。
シリコーン樹脂としては、たとえば、シリコーンゲルと呼ばれるシリコーン樹脂や、ＲＴＶ（Ｒｏｏｍ  Ｔｅｍｐｅｒａｔｕｒｅ  Ｖｕｌｃａｎｉｚｉｎｇ）液状シリコーンゴム、ＬＴＶ（Ｌｏｗ  Ｔｅｍｐｅｒａｔｕｒｅ  Ｖｕｌｃａｎｉｚａｂｌｅ）液状シリコーンゴム、紫外線硬化型の液状シリコーンゴム、熱硬化性の液状シリコーンゴムなどを用いることができる。
【００４７】
シリコーン樹脂は、本来的に非粘着性ないし剥離性を有しており、台紙なしラベル１などを押圧して移送しても台紙なしラベル１における粘着剤層３が貼り付いてしまうことを回避可能である。
熱硬化性のシリコーン樹脂は、熱硬化条件の調整および加工処理が比較的容易で、Ｃ硬度の設定も容易である。
【００４８】
Ｃ硬度が２０度以下であれば、シリコーン樹脂はゲル状で適度に柔らかく、台紙なしラベル１はもちろん、台紙付きラベルその他の帯状部材に対して必要な摩擦力（グリップ力）を有するとともに、耐摩耗性も優れている。
したがって、プラテンローラー１２０は、台紙なしラベル１や台紙付きラベルその他の帯状部材のいずれに対しても必要な剥離性およびグリップ力を有し、安定した移送案内機能を発揮可能である。
Ｃ硬度が２０度をこえると、被覆層１２４の弾性がゴム材のそれに近づくため、その表面の粘着性が急激に上がってしまい、摩耗しやすくなる。
【００４９】
とくに図２に示すように、プラテンローラー１２０（弾性体ローラー）の、ローラーシャフト１２１の軸方向に直交する面内の弾性体ローラー直径Ｄ１を、ローラーシャフト１２１の軸方向に沿うその中央部からその両端部に向けて連続的に漸減させており、プラテンローラー１２０は、いわゆる「タイコ形状」を呈している。なお、ローラーシャフト１２１は、一般的な円柱状シャフトであって、その軸方向に沿った直径は一定である。
この弾性体ローラー直径Ｄ１について、ローラーシャフト１２１の軸方向に沿う中央部における弾性体ローラー中央部直径Ｄ１Ｃと、両端部における弾性体ローラー両端部直径Ｄ１Ｅとの差ΔＤ＝Ｄ１Ｃ−Ｄ１Ｅを、１０〜２５０μｍとしている。
さらに、被覆層１２４は、ローラーシャフト１２１の軸方向に沿って、均一な被覆層厚さＴを有している。
すなわち、プラテンローラー１２０においては、内層側弾性材１２３は、ローラーシャフト１２１の軸方向に直交する面内の内層側弾性材直径Ｄ２を、ローラーシャフト１２１の軸方向に沿う中央部から両端部に向けて漸減させている。
【００５０】
被覆層１２４は、その被覆層厚さＴ（図２）を１０〜１００μｍとしている。
被覆層厚さＴが１０μｍ未満では、被覆層１２４に厚さのムラが生じて、安定した剥離性およびグリップ力を得ることが困難になる。
被覆層厚さＴが１００μｍをこえると、プラテンローラー２０における内層側弾性材１２３の被膜として脆くなり、裂けやすくなる。
【００５１】
なお、本発明において、弾性体ローラー（プラテンローラー１２０）の、ローラーシャフト１２１の軸方向に直交する面内の弾性体ローラー直径Ｄ１を、ローラーシャフト１２１の軸方向に沿うその中央部からその両端部に向けて漸減させる構成としては、図２に示す第１の実施例以外の変形例が可能である。
たとえば図３は、上記変形例を示すもので、図３（１）は、第１の変形例によるプラテンローラー１２０Ａ（弾性体ローラー）の要部概略断面図、図３（２）は、第２の変形例によるプラテンローラー１２０Ｂ（弾性体ローラー）の要部概略断面図である。
図３（１）に示すように、プラテンローラー１２０Ａにおいては、内層側弾性材１２３Ａは、ローラーシャフト１２１の軸方向に直交する面内の内層側弾性材直径Ｄ２を、ローラーシャフト１２１の軸方向に沿う中央部から両端部に向けて均一としている。
一方、被覆層１２４Ａは、ローラーシャフト１２１の軸方向に直交する面内の被覆層厚さＴを、ローラーシャフト１２１の軸方向に沿う中央部から両端部に向けて連続的に漸減させている。
【００５２】
図３（２）に示すように、プラテンローラー１２０Ｂにおいては、内層側弾性材１２３Ｂは、ローラーシャフト１２１の軸方向に直交する面内の内層側弾性材直径Ｄ２を、ローラーシャフト１２１の軸方向に沿う中央部から両端部に向けて漸減させている。
さらに、被覆層１２４Ｂは、ローラーシャフト１２１の軸方向に沿って、その被覆層厚さＴを漸減させている。
【００５３】
つぎに、本発明による弾性体ローラーの非粘着性（剥離性）を評価する試験として、転がり角度試験（転がり角度の測定方法）について説明する。
平坦で水平な台板上に台紙なしラベル１を、その粘着剤層３を上方に向けて固定する。
粘着剤層３に試験体としてプラテンローラー１２０を載置し、さらにその上から、重量２Ｋｇの重りを載せた状態で１５秒間加重を加え、プラテンローラー１２０を台紙なしラベル１に接着する。
１５秒経過後に重りを外し、プラテンローラー１２０の軸線に平行な台板の一端部を固定した状態で、他端部を徐々に上げて台板を傾斜させてゆく。
プラテンローラー１２０が下方に向かって転動し始めた時点で台板の傾斜を停止し、この時点での台板の傾斜角度（すなわち、転がり角度）を読み取る。
傾斜角度（転がり角度）が小さく、転がりやすいプラテンローラー１２０の方が非粘着性が高く、台紙なしラベル１の移送に適していることになる。
本発明者による実験では、弾性体ローラーにより台紙なしラベル１を距離２０Ｋｍ移送した状態で、この転がり角度が３０度以内、好ましくは１５度以内であれば、この弾性体ローラーは、たとえばサーマルプリンター８（図８）におけるプラテンローラー１７やニップローラーとして実際の運用に問題がないことが判明している。
【００５４】
こうした構成のプラテンローラー１２０を用いて、台紙なしラベル１および台紙付きラベルを移送する実験を行った。
中央部直径が１０．１５ｍｍ、両端部直径が１０．０５ｍｍの内層側弾性材１２３として熱硬化性シリコーンゴムを用い、その外周に被覆層厚さＴが５０μｍと一定で、Ｃ硬度が１５度の熱硬化性シリコーン樹脂（シリコーンゲル）による被覆層１２４を形成してプラテンローラー１２０とした。
このような本発明によるプラテンローラー１２０と、被覆層１２４を形成していない通常の円柱状プラテンローラー（比較品）と、を準備し、台紙なしラベル１および台紙付きラベルを移送した。
【００５５】
本発明によるプラテンローラー１２０では、台紙なしラベル１および台紙付きラベルを距離２０Ｋｍ移送した状態で、この転がり角度が台紙なしラベル１については１５度未満であり、台紙付きラベルでは９度未満であり、いずれも弾性体ローラーとして剥離性およびグリップ力に問題がないことが分かった。
また、サーマルプリンター８などのプリンターでは、弾性体ローラーにより台紙なしラベル１あるいは台紙付きラベルを距離２０Ｋｍ移送した状態で、弾性体ローラーの直径の摩耗が１％以内であることが求められている。
上述の実験では、台紙なしラベル１を距離２０Ｋｍ移送したときのプラテンローラー１２０の摩耗率は、０．０５％以下であった。また、台紙付きラベルを距離５０Ｋｍ走行させたときのプラテンローラー１２０の摩耗率は、０．５％以下であった。
【００５６】
一方、比較品（被覆層１２４がない通常のプラテンローラー）では、台紙なしラベル１を距離０．５Ｋｍ移送させた時点で台紙なしラベル１が巻き付いた。台紙なしラベル１について転がり角度を測定したところ、転がり角度が７０度をこえており、使用に耐えなかった。
【００５７】
かくして、内層側弾性材１２３に被覆層１２４を被覆したプラテンローラー１２０により、剥離性およびグリップ力をともに備えた構成を得ることができた。
【００５８】
なお、図４は、サーマルプリンター８（図８）などにおけるサーマルヘッド１６およびプラテンローラー１２０（図２）の台紙なしラベル１の移送方向から見た要部側面図であって、幅が大きな台紙なしラベル１Ｂをサーマルヘッド１６およびプラテンローラー１２０の間に挟持して移送印字する場合には、プラテンローラー１２０の幅に合わせて形成された台紙なしラベル１Ｂを移送することになるので、サーマルヘッド１６およびプラテンローラー１２０が互いに直接接触することはなく、印字および移送に支障はない。
【００５９】
一方、幅が小さな台紙なしラベル１Ｃ（たとえば、幅２０ｍｍ）を、４インチプリンターのサーマルヘッド１６およびプラテンローラー１２０の間（印字有効幅１０４ｍｍ、最大通紙幅１１８ｍｍ）に挟持して移送印字する場合にも、プラテンローラー１２０の幅より幅狭の台紙なしラベル１Ｃをプラテンローラー１２０の中央部において移送している限りにおいては、プラテンローラー１２０がいわゆる「タイコ形状」であるため、台紙なしラベル１Ｃの両端部においてサーマルヘッド１６とプラテンローラー１２０とが互いに接触することがないか、または軽く接する状態であり、同じく印字および移送に支障はない。
さらに、幅が小さな台紙付きラベル（たとえば、幅２３ｍｍ）を上記４インチ用のサーマルヘッド１６およびプラテンローラー１２０の間に挟持して移送印字する場合にも、必要なグリップ力があり、同じく印字および移送に支障はなかった。
【００６０】
つぎに本発明の第２の実施例による弾性体ローラー（プラテンローラー１３０）について図５および図６にもとづき説明する。
図５は、プラテンローラー１３０の斜視図、図６は、プラテンローラー１３０の軸方向要部拡大断面図であって、プラテンローラー１３０は、前述のプラテンローラー１２０（第１の実施例、図１）と同様に、ローラーシャフト１２１の軸方向に直交する面内の弾性体ローラー直径Ｄ１を、ローラーシャフト１２１の軸方向に沿うその中央部からその両端部に向けて漸減させており、プラテンローラー１２０は、いわゆる「タイコ形状」を呈している。
ただし、弾性体ローラー直径Ｄ１は、ローラーシャフト１２１の軸方向に沿うその中央部からその両端部に向けて段階的にこれを漸減させている。
なお、図６においては、図中左方から右方に向かって、弾性体ローラー直径Ｄ１が段階的に漸減する構成の要部を示している。
また、プラテンローラー１３０（弾性体ローラー）については、既述のプラテンローラー１２０と同様に、ローラーシャフト１２１の軸方向に沿う中央部における弾性体ローラー中央部直径Ｄ１Ｃと、両端部における弾性体ローラー両端部直径Ｄ１Ｅとの差ΔＤ＝Ｄ１Ｃ−Ｄ１Ｅを、１０〜１８０μｍとしている。
【００６１】
さらに、プラテンローラー１３０は、プラテンローラー１２０（第１の実施例、図１）において、前記内層側弾性材１２３に、その円周方向に沿って複数本の断面（より正確には、プラテンローラー１２０の中心線を含む平面で切断した断面）Ｖ字形状の内層溝１３１を形成している。
内層側弾性材１２３は、内層溝１３１それぞれの間を平坦な内層台状頂部１３２として形成している。
【００６２】
被覆層１２４は、内層溝１３１にならって内層溝１３１の上層側に位置を合わせ、その円周方向に沿って複数本のほぼ断面Ｖ字形状の被覆層溝１３３を形成している。
被覆層１２４は、被覆層溝１３３それぞれの間を平坦な被覆層台状頂部１３４として形成している。
被覆層１２４は、ローラーシャフト１２１の軸方向においてほぼ均一の被覆層厚さＴを有し、被覆層厚さＴを１０〜１００μｍとしている。
なお、内層溝１３１および被覆層溝１３３の断面形状としては、Ｖ字形状以外にも、Ｕ字形状ないしすり鉢形状、矩形状その他の多角形状とすることができる。
【００６３】
内層溝１３１は、そのピッチＰを５００〜１５００μｍとしている。
内層溝１３１のピッチＰが５００μｍ未満では、互いに隣り合う内層溝１３１の間に形成する内層台状頂部１３２を加工することができる範囲がほとんどなくなる。
内層溝１３１のピッチＰが１５００μｍをこえると、プラテンローラー１３０全体における内層溝１３１あるいは被覆層溝１３３の割合が低下し、台紙なしラベル１その他の帯状部材との接触面積が増加する傾向になり、プラテンローラー１３０としては、その剥離性が低下することを否めない。
【００６４】
内層溝１３１は、その幅Ｗを２５〜１３００μｍ、好ましくは５０〜５００μｍとしている。
内層溝１３１の幅Ｗが２５μｍ未満では、台紙なしラベル１その他の帯状部材との接触面積が増加する結果、プラテンローラー１３０としては、その剥離性が低下する傾向にある。
内層溝１３１の幅Ｗが１３００μｍをこえると、プラテンローラー１３０が台紙なしラベル１などを粘着剤層３側から適正に押さえ支える部分の押圧力が低下し、サーマルプリンター８の印字部１２におけるラベル片１Ａへの印字抜けが発生するなど印字精度が低下する傾向にある。
【００６５】
内層溝１３１は、その深さＨを２５〜５００μｍ、好ましくは５０〜４００μｍとしている。
内層溝１３１の深さＨが２５μｍ未満では、台紙なしラベル１その他の帯状部材との接触面積が増加する結果、プラテンローラー１３０としては、その剥離性が低下する傾向にある。
内層溝１３１の深さＨが５００μｍをこえると、プラテンローラー１３０が台紙なしラベル１などを粘着剤層３側から押さえ支える部分の押圧力が低下し、サーマルプリンター８の印字部１２におけるラベル片１Ａへの印字抜けが発生するなど印字精度が低下する傾向にある。
【００６６】
内層溝１３１は、その溝角度Ｇを５０〜１２０度、好ましくは６０〜１００度としている。
内層溝１３１の溝角度Ｇが５０度未満では、台紙なしラベル１その他の帯状部材との接触面積が増加する結果、プラテンローラー１３０としては、その剥離性が低下する傾向にある。
内層溝１３１の溝角度Ｇが１２０度をこえると、プラテンローラー１３０が台紙なしラベル１などを粘着剤層３側から押さえ支える部分の押圧力が低下し、サーマルプリンター８の印字部１２におけるラベル片１Ａへの印字抜けが発生するなど印字精度が低下する傾向にある。
【００６７】
こうした構成のプラテンローラー１３０を用いて、既述の第１の実施例によるプラテンローラー１２０（図１）と同様に、台紙なしラベル１および台紙付きラベルを移送する実験を行った。
内層側弾性材１２３の外周に被覆層厚さＴが５０μｍで、Ｃ硬度が１５度の熱硬化性シリコーン樹脂（シリコーンゲル）による被覆層１２４を形成するとともに、内層溝１３１のピッチＰを７５０μｍ、幅Ｗを４１０μｍ、深さＨを３５０μｍ、溝角度Ｇを６０度として形成した。
また、上記と同様の寸法による内層溝１３１を形成したのみで、被覆層１２４を形成していないプラテンローラー（比較品）を準備し、台紙なしラベル１および台紙付きラベルを移送した。
【００６８】
本発明によるプラテンローラー１３０では、台紙なしラベル１および台紙付きラベルを距離２０Ｋｍ移送させた状態で、転がり角度が台紙なしラベル１については１３度未満であり、台紙付きラベルでは９度未満であり、いずれも弾性体ローラーとして剥離性およびグリップ力に問題がないことが分かった。
【００６９】
一方、被覆層１２４がない内層溝１３１のみのプラテンローラーでは、台紙なしラベル１を距離１．０Ｋｍ移送させた状態で、転がり角度が台紙なしラベル１については７０度をこえても貼り付いたままとなり、使用に耐えなかった。また、台紙付きラベルでは、連続してスリップエラーが発生し、規定長さを移送することができず、プラテンローラーとして機能し得なかった。
【００７０】
さらに、上述の実験を行ったプラテンローラー１３０の内層溝１３１の幅Ｗと深さＨを変更したプラテンローラー１３０を用い、台紙なしラベル１および台紙付きラベルを移送する実験を行った。
このプラテンローラー１３０では、内層側弾性材１２３の外周に厚さＴが５０μｍで、Ｃ硬度が１５度の熱硬化性シリコーン樹脂（シリコーンゲル）による被覆層１２４を形成するとともに、内層溝１３１のピッチＰを７５０μｍ、幅Ｗを８７μｍ、深さＨを７５μｍ、溝角度Ｇを６０度として形成した。
また、上記と同様の寸法による内層溝１３１を形成したのみで、被覆層１２４を形成していないプラテンローラー（比較品）を準備し、台紙なしラベル１および台紙付きラベルを移送する実験を行った。
【００７１】
内層溝３１の幅Ｗを狭く、深さＨを浅くしたプラテンローラー１３０について、台紙なしラベル１を２０Ｋｍ移送した後に前述した方法で転がり角度を測定したところ１８度未満であった。同様に、台紙付きラベルを２０Ｋｍ移送した後に転がり角度を測定したところ９度未満であった。いずれも弾性体ローラーとして台紙なしラベルを移送する際の剥離性、および台紙付きラベルを移送する際のグリップ力が十分であることが分かった。
また、台紙なしラベル１を距離２０Ｋｍ移送した後のプラテンローラー３０の摩耗率は０．０５％以下、台紙付きラベルを距離５０Ｋｍ走行させた後のプラテンローラー３０の摩耗率は０．５％以下であり、十分な耐磨耗性を有していることが判明した。
【００７２】
一方、被覆層１２４を設けず、ピッチＰを７５０μｍ、幅Ｗを８７μｍ、深さＨを７５μｍ、溝角度Ｇを６０度とした内層溝１３１のみを形成したプラテンローラー（比較品）について、同様に台紙なしラベル１を１Ｋｍ移送した後に転がり角度試験を行ったが、試験機の台板を７０度傾斜させても粘着剤層にプラテンローラーが貼り付いたままであり、使用に適える剥離性を有していないことがわかった。また、台紙付きラベルを移送した場合は、スリップが発生し、プラテンローラーとしてグリップ力が不十分であることが判明した。
【００７３】
かくして、内層側弾性材１２３に内層溝１３１を形成するとともに、被覆層１２４に被覆層溝１３３を形成したプラテンローラー１３０により、剥離性およびグリップ力をともに備えた構成を得ることができた。
【００７４】
さらに、図４にもとづいて説明したと同様に、サーマルプリンター８などに、幅が大きな台紙なしラベル１Ｂおよび幅が小さな台紙なしラベル１Ｃのいずれか一方を装填可能として印字移送する場合に、とくに台紙なしラベル１Ｃを装填した場合であっても、プラテンローラー１３０の両端部側はその中央部に比較して直径を小さくしてあるので、台紙なしラベル１Ｃの両端部においてサーマルヘッド１６とプラテンローラー１３０とが互いに接触することがないか、または軽く接する状態であり、その印字移送に支障が生ずるおそれはない。
【００７５】
なお、プラテンローラー１２０（図１）およびプラテンローラー１３０（図５）のいずれの場合も、ローラーシャフト１２１の軸方向中央部の領域を部分的に平坦に形成することによっても、台紙なしラベル１（図７）、幅が大きな台紙なしラベル１Ｂおよび幅が小さな台紙なしラベル１Ｃ（図４）はもちろん、台紙付きラベルについてもこれを安定して移送することができる。
【符号の説明】
【００７６】
１  台紙なしラベル（図７）
１Ａ  台紙なしラベル１のラベル片
１Ｂ  幅が大きな台紙なしラベル（図４）
１Ｃ  幅が小さな台紙なしラベル（図４）
２  ラベル基材
３  粘着剤層
４  感熱発色剤層
５  剥離剤層
６  位置検出用マーク
７  切断予定線
８  サーマルプリンター（図８）
９  供給部
１０  案内部
１１  検出部
１２  印字部
１３  切断部
１４  ガイドローラー
１５  位置検出センサー
１６  サーマルヘッド
１７  プラテンローラー
１８  固定刃
１９  可動刃
１２０  プラテンローラー（弾性体ローラー、第１の実施例、図１）
１２０Ａ  プラテンローラー（弾性体ローラー、第１の変形例、図３（１））
１２０Ｂ  プラテンローラー（弾性体ローラー、第２の変形例、図３（２））
１２１  ローラーシャフト
１２２  弾性材
１２３  内層側弾性材
１２３Ａ  プラテンローラー２０Ａの内層側弾性材
１２３Ｂ  プラテンローラー２０Ｂの内層側弾性材
１２４  被覆層
１２４Ａ  プラテンローラー２０Ａの被覆層
１２４Ｂ  プラテンローラー２０Ｂの被覆層
１３０  プラテンローラー（弾性体ローラー、第２の実施例、図５）
１３１  内層溝
１３２  内層台状頂部
１３３  被覆層溝
１３４  被覆層台状頂部
Ｔ    被覆層１２４の被覆層厚さ（図２、図６）
Ｄ１  プラテンローラー１２０、１３０の、ローラーシャフト１２１の軸方向に直交する面内の弾性体ローラー直径（図２、図６）
Ｄ１Ｃ  プラテンローラー１２０、１３０の、ローラーシャフト１２１の軸方向に沿う中央部における弾性体ローラー中央部直径（図２、図６）
Ｄ１Ｅ  プラテンローラー１２０、１３０の、ローラーシャフト１２１の軸方向に沿う両端部における弾性体ローラー両端部直径（図２、図６）
Ｄ２  内層側弾性材１２３、１２３Ａ、１２３Ｂの、ローラーシャフト１２１の軸方向に直交する面内の内層側弾性材直径（図２、図３（１）、（２））
ΔＤ  ローラーシャフト１２１の軸方向に沿う中央部における弾性体ローラー中央部直径Ｄ１Ｃと、両端部における弾性体ローラー両端部直径Ｄ１Ｅとの差（Ｄ１Ｃ−Ｄ１Ｅ、図２、図６）
Ｐ    内層溝１３１のピッチ（図６）
Ｗ    内層溝１３１の幅（図６）
Ｈ    内層溝１３１の深さ（図６）
Ｇ    内層溝１３１の溝角度（図６）
【要約】
【課題】非粘着性あるいは剥離性、さらには摩擦力（グリップ力）に優れ、台紙なしラベルおよび一般的な台紙付きラベルなどの帯状部材の幅が異なる帯状部材であっても、これを安定して移送案内することができる弾性体ローラーを提供すること。
【解決手段】Ｃ硬度（ＳＲＩＳ  ０１０１規格に規定するスプリング式アスカーＣ型による硬度）を低く規定したシリコーン樹脂（被覆層１２４）により内層側弾性材１２３の外層を被覆することに着目し、ローラーシャフト１２１の外周に設けた内層側弾性材１２３と、内層側弾性材１２３の外周に設けて帯状部材に接触する被覆層１２４と、を有し、被覆層１２４は、Ｃ硬度が２０度以下のシリコーン樹脂からこれを構成するとともに、弾性体ローラーの弾性体ローラー直径を両端部に向けて漸減させておく。
【選択図】図１【図１】
0005507750.tif 000002
【図２】
0005507750.tif 000003
【図３】
0005507750.tif 000004
【図４】
0005507750.tif 000005
【図５】
0005507750.tif 000006
【図６】
0005507750.tif 000007
【図７】
0005507750.tif 000008
【図８】
0005507750.tif 000009